(57)【要約】【課題】飾り棚の一部を構成するカラー背板を、使用者の好みに応じて、他のカラー背板と取り替えて使用でき、装飾効果を十分に発揮できる飾り棚を提供する。【解決手段】夫々複数の縦板２Ａ，２Ｂと横板３Ａ，３Ｂ，３Ｃとによって複数の箱状空間部Ｓを有する棚本体４を形成し、この棚本体４に裏板５を取り付け、箱状空間部Ｓ内には、上下に対向する横板の夫々後端部に背板嵌合溝８，９を形成して、上下両嵌合溝８，９により、着色を施したカラー背板７を裏板５に沿って検鈍式に取り付ける。【選択図】図５
0003106729.tif 000002
【実用新案登録請求の範囲】
【請求項１】
夫々複数の縦板と横板とによって一つ又は複数の箱状空間部を有する棚本体を形成し、この棚本体の裏側に裏板を取り付け、前記箱状空間部内には、上下に対向する両横板の夫々後端部に背板嵌合溝を形成して、この上下両嵌合溝により、片面又は両面に着色を施したカラー背板を、前記裏板に沿って検鈍式に取り付けてなる飾り棚。
【請求項２】
カラー背板の下端部に背板取外し用のツマミを設けてなる請求項１に記載の飾り棚。
【請求項３】
カラー背板は２枚の板材を貼り合わせて形成され、背板取外し用のツマミは可撓性の帯状片からなるもので、この帯状片の一端側をカラー背板の２枚の板材間に挟み込んで取り付けてなる請求項２に記載の飾り棚。
【考案の詳細な説明】
【技術分野】
【０００１】
本考案は、室内の壁面に取り付けたり、リビングの床等の上に置いて使用される飾り棚に関するものである。
【背景技術】
【０００２】
従来の飾り棚として、特許公報等の公知文献を具体的に挙げることはできないが、従来の飾り棚は、その棚の上に載せ置く置物等を適宜入れ換えたりすることはできても、その棚の一部を好みに応じて取り替えるというようなことはできなかった。
【考案の開示】
【考案が解決しようとする課題】
【０００３】
本考案は、飾り棚の一部を構成するカラー背板を、使用者の好み等に応じて、他のカラー背板と取り替えて使用でき、それによって装飾効果を十分に発揮させることができる飾り棚を提供することを目的とする。
【課題を解決するための手段】
【０００４】
上記課題を解決するための手段を、後述する実施形態の参照符号を付して説明すると、請求項１に係る考案の飾り棚１，１１，２１は、夫々複数の縦板２Ａ，２Ｂ，２Ｃと横板３Ａ，３Ｂ，３Ｃとによって一つ又は複数の箱状空間部Ｓを有する棚本体４を形成し、この棚本体４の裏側に裏板５を取り付け、前記箱状空間部Ｓ内には、上下に対向する横板３Ａ，３Ｂ，３Ｃの夫々後端部に背板嵌合溝８，９を形成して、この上下両嵌合溝８，９により、片面又は両面に着色を施したカラー背板７を、前記裏板５に沿って検鈍式に取り付けてなることを特徴としている。
【０００５】
請求項２は、請求項１に記載の飾り棚において、カラー背板７の下端部に背板取外し用のツマミ１０を設けてなることを特徴とする。
【０００６】
請求項３は、請求項２に記載の飾り棚において、カラー背板７は２枚の板材７a ，７ｂを貼り合わせて形成され、背板取外し用のツマミ１０は可撓性の帯状片からなるもので、この帯状片の一端側をカラー背板の２枚の板材７a ，７ｂ間に挟み込んで取り付けてなることを特徴とする。
【考案の効果】
【０００７】
上記解決手段による発明の効果を、後述する実施形態の参照符号を付して説明すると、請求項１に係る考案によれば、飾り棚１，１１，２１の箱状空間部Ｓ内には、上下に対向する横板３Ａ，３Ｂ，３Ｃの夫々後端部に背板嵌合溝８，９を形成して、両嵌合溝８，９により、片面又は両面に着色を施したカラー背板７を裏板５に沿って検鈍式に取り付けているため、使用者の好みに応じた色あるいはその季節にふさわしい所望の色に着色されたカラー背板７を使用することができ、飾り棚１，１１，２１の装飾効果を十分に発揮させることができる。
【０００８】
このカラー背板７には、片面又は両面に着色を施してあるから、両面に互いに異なった色が着色されている場合には、一旦取り外して表裏を逆にして取り付けるようにすれば、１枚のカラー背板７で２種類のカラーを使用でき、また夫々異なった色が着色されたカラー背板７を複数枚備えておいて、適宜に取り替えるようにすれば、種々好みのカラーを使用できて、飾り棚１，１１，２１の装飾効果をより一層高めることができる。また、このカラー背板７は、背板嵌合溝８，９によって検鈍式に取り付けるようになっているから、その取外し及び取付けを簡単に行うことができる。
【０００９】
請求項２に係る考案によれば、カラー背板７の下端部に背板取外し用のツマミ１０が取り付けてあるから、カラー背板７を取り外す時にはツマミ１０を掴むことによって、カラー背板７の取り外しが一層簡単となる。
【００１０】
請求項３に係る考案によれば、ツマミ１０をカラー背板７の下端に的確に取り付けることができると共に、カラー背板７の下端部を下側の背板嵌合溝９に嵌め込んだ時に、ツマミ１０も背板嵌合溝９内に嵌め込んだ状態でその先端部を手前側へ的確に突出させることができる。
【考案を実施するための最良の形態】
【００１１】
以下に本考案の好適な実施形態を図面に基づき説明すると、図１は本考案の飾り棚１を示す斜視図、図２の(a) は図１の(a) に示す飾り棚１の正面図、(b) は平面図、(c) は側面図、(d) はカラー背板の正面図、(e) はカラー背板の縦断面図である。この飾り棚１は、左右一対の縦板２Ａ，２Ｂと上下一対の横板３Ａ，３Ｂとによって、一つの箱状空間部Ｓを有する棚本体４を枠組み形成し、この棚本体４に裏板５を取付け固定し、箱状空間部Ｓ内にカラー背板７を裏板５に沿って検鈍式に取り付けるようにしたものである。
【００１２】
上記カラー背板７の取付構造について詳しく説明すれば、図３から分かるように、上横板３Ａの下面側後端部にはカラー背板７の上端部が嵌合する背板嵌合溝８が裏板５との間に形成され、下横板３Ｂにはカラー背板７の下端部が嵌合する背板嵌合溝９が裏板５との間に形成され、そしてカラー背板７の上端部が嵌合する背板嵌合溝８は、その下端部が嵌合する背板嵌合溝９よりも深く形成されている。このカラー背板７の上下方向の長さ（高さ）は、棚本体４における上下横板３Ａ，３Ｂの対向面間の間隔よりも僅かに長く、また左右方向の幅寸法は、左右縦板２Ａ，２Ｂの対向面間の間隔より僅かに短い。
【００１３】
このカラー背板７を箱状空間部Ｓ内の裏板５に沿って取り付けるには、図３の(a) に示すようにカラー背板７を前傾姿勢で箱状空間部Ｓ内に挿入し、この前傾姿勢のカラー背板７を持ち上げて垂直姿勢にしつつその上端部を上横板３Ａ側の背板嵌合溝８に嵌合して、同図の(b) に示す状態とし、この状態からカラー背板７を落として、その下端部を下横板３Ｂの背板嵌合溝９に嵌合させ、同図の(c) に示す取付状態とする。
【００１４】
上記各背板嵌合溝８，９は、カラー背板７の板厚の約１．５倍程度の溝幅に形成するとよい。また、カラー背板７の上端部が嵌合する上側の背板嵌合溝８は、下側の背板嵌合溝９より溝深さが深いため、溝入口部を切欠してテーパ状のガイド部８ａを形成することによって、この背板嵌合溝８へのカラー背板７の嵌め込みが容易となる。
【００１５】
また、図２の(d) ，(e) 、図３及び図４に示すように、カラー背板７には背板取外し用のツマミ１０が設けてあって、カラー背板７を取り外し時には、このツマミ１０を摘んで引き上げることによって、カラー背板７の取り外しが容易となる。
【００１６】
このカラー背板７は、図４の(b) に示すように、例えばメラミン樹脂からなる２枚の薄い板材７ａ，７ｂを一体的に貼り合わせて形成されたもので、両板材７ａ，７ｂは互いに異なった色が着色されている。例えば、一方の板材７ａには赤色、他方の板材７ｂには青色に夫々着色されている。またカラー背板７は、使用者の好み応じて他の色のカラー背板７と取り替えて使用できるように、所要枚数用意されている。なお、棚本体４は、その全面が例えば白色等の一色に着色されている。
【００１７】
また、上記ツマミ１０は、例えば可撓性を有する薄い樹脂製の帯状片からなるもので、カラー背板７の製作時に２枚の板材７ａ，７ｂを貼り合わせる際に、図４の(b) に示すように、ツマミ１０を形成する帯状片を二つ折りにし、その両端部を合わせた状態で２枚の板材７ａ，７ｂ間に挟み込んで取り付けるようにする。このようにすれば、ツマミ１０をカラー背板７の下端に的確に取り付けることができると共に、カラー背板７の下端部を下横板３Ｂの背板嵌合溝９に嵌め込んだ時に、図３の(c) に示すように、ツマミ１０も背板嵌合溝９内に嵌め込んだ状態でその先端部を手前側へ的確に突出させることができ、従って引っ張り易くなる。
【００１８】
上記のように構成される飾り棚１は、例えば図１に示すように適当な台２０の上にそのまま置いて使用してもよいし、また図示は省略するが、リビングや廊下の壁面の所要箇所に埋め込んで取り付けたり、あるいは取り外しできるよう掛止させるようにしてもよい。そして、カラー背板７の色を変えたい場合は、このカラー背板７を一旦取り外して、表裏を逆にして再び取り付ければよい。即ち、それまで赤色に着色された板材７ａの方を表向きにして使用していたとすれば、今度は赤色に着色された他方の板材７ｂを表向きにすればよい。また、夫々色が異なった複数種類のカラー背板７が用意してある時は、それまで使用していたカラー背板７を取り外して、必要とする所望のカラー背板７を取り付ければよい。
【００１９】
棚本体４を構成する左右縦板２Ａ，２Ｂ及び上下横板３Ａ，３Ｂの各板は、図示は省略するが、例えば、パーチクルボードからなる芯材の表裏両面にポリ合板からなる表面板を貼着して形成されたものである。また、裏板５は例えばポリ合板からなるものである。
【００２０】
図５は本考案の他の実施形態による飾り棚１１を示し、(a) は正面側から見た斜視図、(b) は縦断面図、(c) は(b) の矢印ハで示す部分の拡大図である。この飾り棚１１は、左右一対の縦板２Ａ，２Ｂと、上下の横板３Ａ，３Ｂと、上下両横板３Ａ，３Ｂ間に複数段に配置される複数の中間横板３Ｃとによって、複数の（ここでは４つの）箱状空間部Ｓを有する棚本体４を枠組み形成し、この棚本体４に裏側端面に裏板５を取付け固定し、そして各箱状空間部Ｓ内には夫々カラー背板７を裏板５に沿って検鈍式に取り付けるようにしたものである。
【００２１】
この飾り棚１１において、各箱状空間部Ｓ内に挿入して裏板５に取り付けられるカラー背板７の取付構造及びその取付方法については、図５の(c) の断面図から分かるように、図３によって説明した先の実施形態のものと同様であるため、その説明を省略する。
【００２２】
この図５に示すような飾り棚１１は、単に飾り棚として使用されるだけでなく、例えば洗面所やトイレにおいて各種用品を収納する収納棚としても使用することができる。
【００２３】
図６は本考案の更に他の実施形態による飾り棚２１を示し、(a) は正面側から見た斜視図、(b) はカラー背板７の取付構造を示す図５の(c) と同様な断面図である。この飾り棚２１は、左右の縦板２Ａ，２Ｂと、左右両縦板２Ａ，２Ｂの中間に配置される複数の中間縦板２Ｃと、上下の横板３Ａ，３Ｂと、上下両横板３Ａ，３Ｂ間に複数段に配置される複数の中間横板３Ｃとによって、複数の（ここでは９つの）箱状空間部Ｓを有する棚本体４を枠組み形成し、この棚本体４の裏側端面にに裏板５を取付け固定し、各箱状空間部Ｓ内に夫々カラー背板７を裏板５に沿って検鈍式に取り付けるようにしたものである。
【００２４】
この図６に示す飾り棚２１においても、各箱状空間部Ｓ内に挿入して裏板５に取り付けられるカラー背板７の取付構造及びその取付方法については、図６の(b) に示す断面図から分かるように、図３によって説明した先の実施形態のものと同じであるため、その説明を省略する。
【００２５】
この飾り棚２１は、リビング等において、飾り棚として使用されると共に、各箱状空間部Ｓに書籍や装飾品等を収納する収納棚としても使用することができるものである。
【００２６】
以上説明したような実施形態の飾り棚１，１１，２１によれば、棚本体４のの箱状空間部Ｓ内には、上下に対向する横板３Ａ，３Ｂ，３Ｃの夫々後端部に背板嵌合溝８，９を形成して、上下両嵌合溝８，９により、カラー背板７を裏板５に沿って検鈍式に取り付けるようにしているから、カラー背板７を取り替えることによって、使用者の好みに応じた所望の色、あるいはその時の季節にふさわしい色に着色されたカラー背板７を使用することができ、飾り棚１，１１，２１の装飾効果を十分に発揮させることができる。また、棚本体４に箱状空間部Ｓが複数形成される飾り棚１１，２１にあっては、複数のカラー背板７の配色を考慮することによって、装飾効果をより一層高めることができる。
【００２７】
そして、上記実施形態のカラー背板７には、両面に異なった着色が施されているから、一旦取り外して表裏を逆にして取り付けるようにすれば、１枚のカラー背板７で２種類のカラーを使用できる。また、夫々異なった色が着色されたカラー背板７を複数本備えておいて、適宜に取り替えるようにすることにより、種々のカラーを使用できて、飾り棚１，１１，２１の装飾効果を更に高めることができる。特にこのカラー背板７は、背板嵌合溝８，９によって検鈍式に取り付けるようになっているから、その取外し・取付けを簡単容易に行うことができる。
【００２８】
なお、上述した実施形態の飾り棚１，１１，２１は、棚本体４の前面側が常時開放されているが、この棚本体４の前面側に開閉扉を設けてもよい。
【図面の簡単な説明】
【００２９】
【図１】本考案の飾り棚の一実施形態を示す斜視図である。
【図２】(a) は図１の(a) に示す飾り棚の正面図であり、(b) は平面図、(c) は側面図、(d) はカラー背板の正面図、(e) はカラー背板の側面図である。
【図３】(a) 〜(c) はカラー背板の取付状態を説明する説明図である。
【図４】(a) は図２の(d) の矢印イで示す部分の拡大図、(b) は図２の(e) の矢印ロで示す部分の拡大図である。
【図５】本考案の飾り棚の他の実施形態を示すもので、(a) は飾り棚を正面側から見た斜視図、(b) は縦断面図、(c) は(b) の矢印ハで示す部分の拡大図である。
【図６】本考案の飾り棚の更に他の実施形態を示すもので、(a) は飾り棚を正面側から見た斜視図であり、(b) はカラー背板の取付構造を示す図５の(c) と同様な断面図である。
【符号の説明】
【００３０】
１，１１，２１        飾り棚
２Ａ，２Ｂ，２Ｃ      縦板
３Ａ，３Ｂ，３Ｃ      横板
４                    棚本体
Ｓ                    棚本体４内に形成される箱状空間部
５                    裏板
７                    カラー背板
７ａ，７ｂ            カラー背板を構成する板材
８，９                背板嵌合溝
１０                  背板取外し用のツマミ
【図１】
0003106729.tif 000003
【図２】
0003106729.tif 000004
【図３】
0003106729.tif 000005
【図４】
0003106729.tif 000006
【図５】
0003106729.tif 000007
【図６】
0003106729.tif 000008